(57)【要約】      （修正有）【課題】超ミニタイプのメモリカードアダプタの提供。【解決手段】本体１０、位置決めブロック２０及びカバー３０を具え、本体の内部にＭＳカード、ＳＤカード、ＭＭＣカード、ＸＤカード挿入用の端子アセンブリ１００が設けられ、並びに前端に挿入孔１５が設けられ、その両側に突出する係止突起１４が設けられ、位置決めブロックは本体内に挿入されて異なるメモリカードの挿入位置を分割し、カバーは本体上方を被覆し、並びに側端の係止孔３１が係止突起と嵌合して係止シートを形成し、特に、本体の前端の挿入孔のやや下方に凹溝が設けられ、該凹溝の両端部にＭＭＣ４カードの挿入用にそれぞれ一組の１２，１３端子が設けられている。【選択図】図１
0003106950.tif 000002
【実用新案登録請求の範囲】
【請求項１】
本体、位置決めブロック及びカバーを具え、該本体の内部にＭＳカード、ＳＤカード、ＭＭＣカード、ＸＤカード挿入用の端子アセンブリが設けられ、並びに前端に挿入孔が設けられ、その両側に突出する係止突起が設けられ、位置決めブロックは本体内に挿入されて異なるメモリカードの挿入位置を分割し、カバーは本体上方を被覆し、並びに側端の係止孔が係止突起と嵌合して係止シートを形成する超ミニタイプのメモリカードアダプタにおいて、本体の前端の挿入孔の下方に凹溝が設けられ、該凹溝の両端部にＭＭＣ４カードの挿入用にそれぞれ一組の端子が設けられたことを特徴とする、超ミニタイプのメモリカードアダプタ。
【請求項２】
請求項１記載の超ミニタイプのメモリカードアダプタにおいて、本体下方の凹溝の両端部にそれぞれ三本の端子が設けられたことを特徴とする、超ミニタイプのメモリカードアダプタ。
【考案の詳細な説明】
【技術分野】
【０００１】
本考案は超ミニタイプのメモリカードアダプタに係り、特に、よく使用されるＭＳカード、ＳＤカード、ＭＭＣカード、ＸＤカードを差し込めるほか、最新のＭＭＣ４カードも差し込め、且つその体積が十分に小さく、現代の軽量化、薄型化、小型化の要求に符合し、且つ多機能の要求に符合する超ミニタイプのメモリカードアダプタに関する。
【背景技術】
【０００２】
現在、ノートブック型コンピュータ、ＰＤＡ或いはデジタルカメラ等の電子製品の多くはメモリカードを読み取るためのアダプタを具え、このような精密さを標榜する電子製品に対する消費者の選択基準は、体積が小さく、且つ機能が多いことであるため、現在、メモリカードアダプタはマルチタイプの方向に設計されている。
【０００３】
周知の多機能のメモリカードアダプタはＭＳカード、ＳＭカード、ＳＤカード、ＸＤカード、ＭＭＣカードの使用に供される。
【０００４】
しかし、ＳＭカードの体積は大きく、現代人の要求に符合せず、ゆえに新時代のカードアダプタは採用しない傾向にある。このほか、最近開発されたメモリカード、例えばＭＭＣ４カードは消費者の注目を集め、流行しつつあるが、周知のマルチタイプのメモリカードアダプタにはこれに対応しているものはない。
【考案の開示】
【考案が解決しようとする課題】
【０００５】
本考案は、従来のＭＭＣ４カードに非対応のマルチタイプメモリカードアダプタの設計に対して、消費者の要求に対して、体積が非常に小さく多機能のメモリカードアダプタにより、従来の技術を突破して産業上の利用価値を達成するものである。
【０００６】
即ち本考案の主要な目的は、よく使用されるＭＳカード、ＳＤカード、ＭＭＣカード、ＸＤカードを差し込めるほか、最新のＭＭＣ４カードも差し込め、且つその体積が十分に小さい超ミニタイプのメモリカードアダプタを提供することにある。
【課題を解決するための手段】
【０００７】
請求項１の考案は、本体、位置決めブロック及びカバーを具え、該本体の内部にＭＳカード、ＳＤカード、ＭＭＣカード、ＸＤカード挿入用の端子アセンブリが設けられ、並びに前端に挿入孔が設けられ、その両側に突出する係止突起が設けられ、位置決めブロックは本体内に挿入されて異なるメモリカードの挿入位置を分割し、カバーは本体上方を被覆し、並びに側端の係止孔が係止突起と嵌合して係止シートを形成する超ミニタイプのメモリカードアダプタにおいて、本体の前端の挿入孔の下方に凹溝が設けられ、該凹溝の両端部にＭＭＣ４カードの挿入用にそれぞれ一組の端子が設けられたことを特徴とする、超ミニタイプのメモリカードアダプタとしている。
請求項２の考案は、請求項１記載の超ミニタイプのメモリカードアダプタにおいて、本体下方の凹溝の両端部にそれぞれ三本の端子が設けられたことを特徴とする、超ミニタイプのメモリカードアダプタとしている。
【考案の効果】
【０００８】
本考案は、よく使用されるＭＳカード、ＳＤカード、ＭＭＣカード、ＸＤカードを差し込めるほか、最新のＭＭＣ４カードも差し込め、且つその体積が十分に小さく、現代の軽量化、薄型化、小型化の要求に符合し、且つ多機能の要求に符合する。
【考案を実施するための最良の形態】
【０００９】
本考案は、本体、位置決めブロック及びカバーを具え、該本体の内部にＭＳカード、ＳＤカード、ＭＭＣカード、ＸＤカード挿入用の端子アセンブリが設けられ、並びに前端に挿入孔が設けられ、その両側に突出する係止突起が設けられ、位置決めブロックは本体内に挿入されて異なるメモリカードの挿入位置を分割し、カバーは本体上方を被覆し、並びに側端の係止孔が係止突起と嵌合して係止シートを形成し、特に、本体の前端の挿入孔のやや下方に凹溝が設けられ、該凹溝の両端部にＭＭＣ４カードの挿入用にそれぞれ一組の端子が設けられている。
【実施例１】
【００１０】
図１、２に示されるように、本考案は本体１０、位置決めブロック２０及びカバー３０を具え、本体１０の内部にＭＳカード、ＳＤカード、ＭＭＣカード、ＸＤカード挿入用の端子アセンブリ１００が設けられ、並びに前端に挿入孔１５が設けられ、その両側に突出する係止突起１４が設けられている。位置決めブロック２０は本体１０内に挿入されて異なるメモリカードの挿入位置を分割する。カバー３０は本体１０上方を被覆し、並びに側端の係止孔３１が係止突起１４と嵌合して係止シートを形成する。本考案の特徴は、本体１０の前端の挿入孔１５のやや下方に凹溝１１が設けられ、該凹溝１１の両端部にそれぞれ一組の端子１２、１３が設けられたことにある。
【００１１】
本考案を使用する時、前端の挿入孔１５がＭＳカード、ＳＤカード、ＸＤカードの挿入使用に供され、ＭＭＣ４カードは本体１０の下方の凹溝１１部分より端子１２、１３と接続され、使用上、十分に便利である。
【００１２】
本考案の設計の巧みであるところは、実施上、周知のＭＳカード、ＳＤカード、ＭＭＣカード、ＸＤカードの挿入に供されるだけでなく、最新のＭＭＣ４カードの挿入にも供され、且つその体積が十分に小さく、現代の軽量化、薄型化、小型化の要求に符合し、且つ多機能の要求に符合するところであり、ゆえに本考案は優れたメモリカードアダプタの設計であるといえる。
【図面の簡単な説明】
【００１３】
【図１】本考案の立体分解図である。
【図２】本考案の立体構造図である。
【図３】本考案の内部端子図である。
【符号の説明】
【００１４】
１０  本体                １００  端子アセンブリ
１１  凹溝                １２  端子
１３  端子                １４  係止突起
１５  挿入孔              ２０  位置決めブロック
３０  カバー              ３１  係止孔
【図１】
0003106950.tif 000003
【図２】
0003106950.tif 000004
【図３】
0003106950.tif 000005
【手続補正書】
【提出日】平成16年9月13日(2004.9.13)
【手続補正１】
【補正対象書類名】実用新案登録請求の範囲
【補正対象項目名】全文
【補正方法】変更
【補正の内容】
【実用新案登録請求の範囲】
【請求項１】
本体、位置決めブロック及びカバーを具え、該本体の内部にＭＳカード、ＳＤカード（登録商標）、ＭＭＣカード、ＸＤカード挿入用の端子アセンブリが設けられ、並びに前端に挿入孔が設けられ、その両側に突出する係止突起が設けられ、位置決めブロックは本体内に挿入されて異なるメモリカードの挿入位置を分割し、カバーは本体上方を被覆し、並びに側端の係止孔が係止突起と嵌合して係止シートを形成する超ミニタイプのメモリカードアダプタにおいて、本体の前端の挿入孔の下方に凹溝が設けられ、該凹溝の両端部にＭＭＣ４カードの挿入用にそれぞれ一組の端子が設けられたことを特徴とする、超ミニタイプのメモリカードアダプタ。
【請求項２】
請求項１記載の超ミニタイプのメモリカードアダプタにおいて、本体下方の凹溝の両端部にそれぞれ三本の端子が設けられたことを特徴とする、超ミニタイプのメモリカードアダプタ。
【手続補正２】
【補正対象書類名】明細書
【補正対象項目名】全文
【補正方法】変更
【補正の内容】
【考案の詳細な説明】
【技術分野】
【０００１】
本考案は超ミニタイプのメモリカードアダプタに係り、特に、よく使用されるＭＳカード、ＳＤカード（登録商標）、ＭＭＣカード、ＸＤカードを差し込めるほか、最新のＭＭＣ４カードも差し込め、且つその体積が十分に小さく、現代の軽量化、薄型化、小型化の要求に符合し、且つ多機能の要求に符合する超ミニタイプのメモリカードアダプタに関する。
【背景技術】
【０００２】
現在、ノートブック型コンピュータ、ＰＤＡ或いはデジタルカメラ等の電子製品の多くはメモリカードを読み取るためのアダプタを具え、このような精密さを標榜する電子製品に対する消費者の選択基準は、体積が小さく、且つ機能が多いことであるため、現在、メモリカードアダプタはマルチタイプの方向に設計されている。
【０００３】
周知の多機能のメモリカードアダプタはＭＳカード、ＳＭカード、ＳＤカード（登録商標）、ＸＤカード、ＭＭＣカードの使用に供される。
【０００４】
しかし、ＳＭカードの体積は大きく、現代人の要求に符合せず、ゆえに新時代のカードアダプタは採用しない傾向にある。このほか、最近開発されたメモリカード、例えばＭＭＣ４カードは消費者の注目を集め、流行しつつあるが、周知のマルチタイプのメモリカードアダプタにはこれに対応しているものはない。
【考案の開示】
【考案が解決しようとする課題】
【０００５】
本考案は、従来のＭＭＣ４カードに非対応のマルチタイプメモリカードアダプタの設計に対して、消費者の要求に対して、体積が非常に小さく多機能のメモリカードアダプタにより、従来の技術を突破して産業上の利用価値を達成するものである。
【０００６】
即ち本考案の主要な目的は、よく使用されるＭＳカード、ＳＤカード（登録商標）、ＭＭＣカード、ＸＤカードを差し込めるほか、最新のＭＭＣ４カードも差し込め、且つその体積が十分に小さい超ミニタイプのメモリカードアダプタを提供することにある。
【課題を解決するための手段】
【０００７】
請求項１の考案は、本体、位置決めブロック及びカバーを具え、該本体の内部にＭＳカード、ＳＤカード（登録商標）、ＭＭＣカード、ＸＤカード挿入用の端子アセンブリが設けられ、並びに前端に挿入孔が設けられ、その両側に突出する係止突起が設けられ、位置決めブロックは本体内に挿入されて異なるメモリカードの挿入位置を分割し、カバーは本体上方を被覆し、並びに側端の係止孔が係止突起と嵌合して係止シートを形成する超ミニタイプのメモリカードアダプタにおいて、本体の前端の挿入孔の下方に凹溝が設けられ、該凹溝の両端部にＭＭＣ４カードの挿入用にそれぞれ一組の端子が設けられたことを特徴とする、超ミニタイプのメモリカードアダプタとしている。
請求項２の考案は、請求項１記載の超ミニタイプのメモリカードアダプタにおいて、本体下方の凹溝の両端部にそれぞれ三本の端子が設けられたことを特徴とする、超ミニタイプのメモリカードアダプタとしている。
【考案の効果】
【０００８】
本考案は、よく使用されるＭＳカード、ＳＤカード（登録商標）、ＭＭＣカード、ＸＤカードを差し込めるほか、最新のＭＭＣ４カードも差し込め、且つその体積が十分に小さく、現代の軽量化、薄型化、小型化の要求に符合し、且つ多機能の要求に符合する。
【考案を実施するための最良の形態】
【０００９】
本考案は、本体、位置決めブロック及びカバーを具え、該本体の内部にＭＳカード、ＳＤカード（登録商標）、ＭＭＣカード、ＸＤカード挿入用の端子アセンブリが設けられ、並びに前端に挿入孔が設けられ、その両側に突出する係止突起が設けられ、位置決めブロックは本体内に挿入されて異なるメモリカードの挿入位置を分割し、カバーは本体上方を被覆し、並びに側端の係止孔が係止突起と嵌合して係止シートを形成し、特に、本体の前端の挿入孔のやや下方に凹溝が設けられ、該凹溝の両端部にＭＭＣ４カードの挿入用にそれぞれ一組の端子が設けられている。
【実施例１】
【００１０】
図１、２に示されるように、本考案は本体１０、位置決めブロック２０及びカバー３０を具え、本体１０の内部にＭＳカード、ＳＤカード（登録商標）、ＭＭＣカード、ＸＤカード挿入用の端子アセンブリ１００が設けられ、並びに前端に挿入孔１５が設けられ、その両側に突出する係止突起１４が設けられている。位置決めブロック２０は本体１０内に挿入されて異なるメモリカードの挿入位置を分割する。カバー３０は本体１０上方を被覆し、並びに側端の係止孔３１が係止突起１４と嵌合して係止シートを形成する。本考案の特徴は、本体１０の前端の挿入孔１５のやや下方に凹溝１１が設けられ、該凹溝１１の両端部にそれぞれ一組の端子１２、１３が設けられたことにある。
【００１１】
本考案を使用する時、前端の挿入孔１５がＭＳカード、ＳＤカード（登録商標）、ＸＤカードの挿入使用に供され、ＭＭＣ４カードは本体１０の下方の凹溝１１部分より端子１２、１３と接続され、使用上、十分に便利である。
【００１２】
本考案の設計の巧みであるところは、実施上、周知のＭＳカード、ＳＤカード（登録商標）、ＭＭＣカード、ＸＤカードの挿入に供されるだけでなく、最新のＭＭＣ４カードの挿入にも供され、且つその体積が十分に小さく、現代の軽量化、薄型化、小型化の要求に符合し、且つ多機能の要求に符合するところであり、ゆえに本考案は優れたメモリカードアダプタの設計であるといえる。
【図面の簡単な説明】
【００１３】
【図１】本考案の立体分解図である。
【図２】本考案の立体構造図である。
【図３】本考案の内部端子図である。
【符号の説明】
【００１４】
１０  本体                １００  端子アセンブリ
１１  凹溝                １２  端子
１３  端子                １４  係止突起
１５  挿入孔              ２０  位置決めブロック
３０  カバー              ３１  係止孔